(57)【特許請求の範囲】
【請求項１】
複数の照明器具と；
これら照明器具の光出力をそれぞれ制御する複数の制御端末器と；
前記照明器具の動作状態を表示する動作状態表示部および制御用操作部を有し、この制御用操作部の操作時に操作信号を出力する監視端末器と；
前記制御端末器および前記監視端末器とそれぞれ双方向通信可能に構成され、前記複数の照明器具をほぼ同時に点灯させる前記操作信号または負荷要求を受けたときに、これら複数の照明器具を所要の待機時間を置いて順次点灯させる点灯制御信号を前記制御端末器に送信するとともに、前記動作状態表示部の操作状態を表示する制御信号を前記点灯制御信号の待機時間を置かずに前記監視端末器に送信し、監視端末器の動作状態表示部における照明器具の動作状態の表示を前記複数の照明器具の順次点灯よりも早くなるように制御する中央制御装置と；
を具備していることを特徴とする照明制御システム。
【請求項２】
複数の照明器具と；
これら照明器具の光出力をそれぞれ制御する複数の制御端末器と；
前記照明器具の動作状態を表示する動作状態表示部および制御用操作部を有し、この制御用操作部の操作時に操作信号を出力する監視端末器と；
前記制御端末器および前記監視端末器とそれぞれ双方向通信可能に構成され、前記複数の照明器具をほぼ同時に点灯させる前記操作信号または負荷要求を受けたときに、これら複数の照明器具を点灯させる点灯制御信号を制御端末器に送信する中央制御装置と、を具備し；
前記制御端末器は、前記中央制御装置から点灯制御信号を受信したときに、各制御端末器毎にそれぞれ異なるように予め設定されている待機時間を置いて照明器具をそれぞれ点灯させる分散点灯手段を備え、前記中央制御装置は前記制御端末器の待機時間を置かずに前記動作状態表示部の操作状態を表示する制御信号を前記監視端末器に送信し、前記監視端末器の動作状態表示部における照明器具の動作状態の表示を前記複数の照明器具の順次点灯よりも早くなるように制御することを特徴とする照明制御システム。
【発明の詳細な説明】
【技術分野】
【０００１】
本発明の実施形態は照明制御システムに関する。
【背景技術】
【０００２】
従来の照明器具の光源としては、例えば白熱電球や蛍光ランプ等のように交流電力（ＡＣ）が給電されて点灯されるものが知られている。
【０００３】
そして、これらＡＣ給電の蛍光ランプを光源として具備している複数の照明器具をほぼ同時に点灯させる制御信号を、中央制御装置から信号線を介して複数の制御端末器に送信することにより、これら複数の照明器具をほぼ同時に一斉に点灯させる照明制御システムも知られている。
【発明の概要】
【発明が解決しようとする課題】
【０００４】
しかしながら、このような従来の照明制御システムでは、複数の照明器具がほぼ同時に一斉に点灯されるので、ＡＣ電源側から各照明器具に供給される電流の瞬時値のピーク値が急上昇する。しかも、点灯時に各照明器具に突入する突入電流は通常点灯時よりも多いので、電源側から照明器具側に供給される電流のピーク値は非常に大きい。このために、電源側の電圧変動も大きくなる。このために、ブレーカーがトリップする虞もあるので、ＡＣ電源側の電源容量の増大やブレーカーの電流容量の増大を図る必要があり、コスト増を招くという課題がある。
【０００５】
本発明が解決しようとする課題は、複数の照明器具の点灯時の電源側電力のピーク値を抑制することが可能な照明制御システムを提供することにある。
【課題を解決するための手段】
【０００６】
本実施形態の照明制御システムは、複数の照明器具と；これら照明器具の光出力をそれぞれ制御する複数の制御端末器と；照明器具の動作状態を表示する動作状態表示部および制御用操作部を有し、この制御用操作部の操作時に操作信号を出力する監視端末器と；を有している。
【０００７】
また、本実施形態は、制御端末器および監視端末器とそれぞれ双方向通信可能に構成され、複数の照明器具をほぼ同時に点灯させる操作信号または負荷要求を受けたときに、これら複数の照明器具を所要の待機時間を置いて順次点灯させる点灯制御信号を制御端末器に送信するとともに、動作状態表示部の操作状態を表示する制御信号を点灯制御信号の待機時間を置かずに監視端末器に送信し、監視端末器の動作状態表示部における照明器具の動作状態の表示を複数の照明器具の順次点灯よりも早くなるように制御する中央制御装置と；を具備している。
【図面の簡単な説明】
【０００８】
【図１】第１の実施形態に係る照明制御システムの全体構成を示すシステム構成図。
【図２】図１で示す中央制御装置の構成を示すブロック図。
【図３】図１で示す中央制御装置の分散点灯手段の制御プログラムのフローチャート。
【図４】（Ａ）は通常運転時、中央制御装置から複数の制御信号が信号線上に、順次、直列伝送される状態の一部を示すタイミングチャート、（Ｂ）は分散点灯時、中央制御装置から複数の制御信号が信号線上に、順次、直列伝送される状態の一部を示すタイミングチャート。
【図５】図４（Ａ），（Ｂ）で示す制御信号のフォーマットの構成の一例を示す図。
【図６】図１で示す制御端末器の構成を示すブロック図。
【図７】分散点灯時、４個の負荷回路をそれぞれ有する照明器具を、複数の制御端末器によりそれぞれＯＮ制御する場合のタイミングを示す図。
【図８】（Ａ）は分散点灯時の電流分布図、（Ｂ）は従来の同時一斉点灯時の電流分布図。
【図９】第２の実施形態に係る照明制御システムの分散点灯時、複数の制御端末器によるＯＮ制御されるタイミングを示すタイミングチャート。
【発明を実施するための形態】
【０００９】
以下、本発明の実施形態を図面に基づいて説明する。なお、複数の図面中、同一または相当部分には同一符号を付している。
【００１０】
（第１の実施形態）
図１に示すように照明制御システム１は、中央制御装置２に、信号線３を介して複数の制御端末器４ａ，４ｂ，…，４ｎと、監視端末器の一例としての壁スイッチ５を、双方向シリアル（直列）通信可能に接続している。各制御端末器４ａ〜４ｎには、照明器具６ａ，６ｂ，…，６ｎをそれぞれ点，消灯や調光等による光出力制御可能に接続している。図１では各制御端末器４ａ〜４ｎに、複数、例えば４台（４回路）の照明器具６ａ１，６ａ２，６ａ３，６ａ４、６ｂ１，６ｂ，６ｂ３，６ｂ４、６ｎ１，６ｎ２，６ｎ３，６ｎ４をそれぞれを接続しており、これら照明器具６ａ〜６ｎには電源としてはＤＣ（直流）電源線７がそれぞれ接続されている。ＤＣ電源線７は電源装置８の蓄電池の一例であるバッテリ８ａに接続されている。電源装置８は所要電圧の商用交流電源のＡＣ（交流）を所要電圧の直流（ＤＣ）に変換してバッテリ８ａに充電するＡＣ／ＤＣ変換装置８ｂを具備している。なお、バッテリ８ａは直流電源であればよく、例えば、太陽電池等の自然エネルギを蓄電したものでもよい。また、電気自動車（ＥＶ）に搭載されているバッテリや他のバッテリに置換可能である。
【００１１】
また、１台の各制御端末器４ａ〜４ｎに接続される照明器具６ａ１〜６ａ４，６ｂ１〜６ｂ４，…，６ｎ１〜６ｎ４は、１台（６ａ１，６ｂ１，…，６ｎ１のいずれか１台）でもよく、１台以上であればよく、４台に限定されない。
【００１２】
さらに、各制御端末器４ａ〜４ｎは、照明器具６ａ〜６ｎにそれぞれ組み込まれて、照明器具６ａ〜６ｎに一体に構成されてもよい。
【００１３】
照明器具６ａ〜６ｎの光源は例えば蛍光ランプや発光ダイオード（ＬＥＤ）、エレクトロルミネセンス（ＥＬ）等いずれでもよく、これら光源を点灯させる点灯装置を具備している。例えば蛍光ランプは、インバータ点灯装置を具備しており、バッテリ８ａから供給されるＤＣをインバータ点灯装置により所定電圧のＡＣに変換して点灯される。
【００１４】
壁スイッチ５は各制御端末器４ａ〜４ｎ、すなわち照明器具６ａ〜６ｎの光出力を、１台毎に個別に制御するための個別制御用操作部（図示省略）と、複数台毎にグループ制御するグループ制御用操作部（図示省略）と、ランプの点，消灯等の動作状態を赤や緑のランプの点灯により表示する動作状態表示部を具備している。この制御用操作部の操作時には、所要フォーマットの操作信号が出力され、これら操作信号（スイッチ入力）は信号線３を介して中央制御装置２により読み込まれる。
【００１５】
図２に示すように中央制御装置２は、電源部９ａ、主制御部９ｂ、主ＡＤメモリ９ｃ、待機時間設定部９ｄおよび送受信部９ｅを具備している。
【００１６】
電源部９ａは、例えば１００Ｖの商用交流電源ＡＣを受電して所要電圧（例えば２４Ｖ）の直流（ＤＣ）に整流する整流器を有し、このＤＣを主制御部９ｂ、送受信部９ｅおよび信号線３に給電する。
【００１７】
主制御部９ｂは、例えばマイクロプロセッサ等からなり、分散点灯手段２ａを具備している。分散点灯手段２ａは、複数の照明器具６ａ〜６ｎをほぼ同時に一斉点灯させる負荷要求を受けたときに、これら複数の照明器具６ａ〜６ｎを同時に点灯させずに待機時間を置いて順次点灯させる。このような一斉点灯の負荷要求は、壁スイッチ５の図示省略の一斉点灯のボタンがＯＮ操作されたときや、図示省略のスケジューラからの負荷要求等がある。スケジューラは、予め所定の時刻で複数の照明器具６ａ〜６ｎをほぼ同時に一斉点灯させるスケジュールを記録してあり、その一斉点灯の所定の時刻が到来したときに、この負荷要求が点灯分散手段２ａに与えられる。主ＡＤメモリ９ｃは各制御端末器４ａ〜４ｎのアドレスをそれぞれ示す個別アドレスと、これら各制御端末器４ａ〜４ｎをグループ化したときのグループを示すグループアドレスを記憶している。
【００１８】
待機時間設定部９ｄは、複数の制御端末器４ａ〜４ｎにより、複数の照明器具６ａ〜６ｎをほぼ同時に点灯させる一斉点灯の負荷要求があったときに、これら複数の制御端末器４ａ〜４ｎを同時に駆動させずに、予め設定した所定順に順次点灯させるために、その点灯を待機させる待機時間をそれぞれ設定する。すなわち、待機時間は、制御端末器４ａ〜４ｎが中央制御装置２からの制御信号Ｃｓを受信してから制御を実行するまで待機する時間であり、制御端末器４ａ〜４ｎの駆動（点灯）順番と関連付けて待機時間設定部９ｄに設定される。例えば待機時間がゼロの場合は、最初に点灯され、待機時間が２番目に短い場合は２番目に点灯され、以下、最長の場合は最後に点灯される。これにより、負荷要求が一斉点灯の場合の制御端末器４ａ〜４ｎの点灯制御順序が最初から最後まで順次設定される。
【００１９】
主制御部９ｂは、壁スイッチ５からの操作信号を送受信部９ｅにより受信すると、この操作信号により操作されたスイッチ入力を解読し、この操作信号に対応した制御信号を生成し、この制御信号を送受信部９ｅにより信号線３上にシリアル（直列）伝送で伝送させる。
【００２０】
図３は、分散点灯手段２ａにより、中央制御装置２から各制御端末器４ａ〜４ｎに送受信部９ｅと信号線３を介して制御信号を直列伝送する場合の制御プログラムのフローチャートを示す。なお、このフローチャート中、Ｓに数字を付した記号はフローチャートの各ステップを示す。
【００２１】
図３に示すように分散点灯手段２ａは、まずＳ１で、中央制御装置２から信号線３上に伝送すべき制御信号があるか否かを判断する。すなわち、壁スイッチ５から複数の照明器具６ａ〜６ｎをほぼ同時に点灯させるように設定された点灯ボタン（図示省略）のオン操作信号、または、そのオン操作等を監視する監視信号等を送受信部９ｅにより受信したときや、スケジューラから複数の照明器具６ａ〜６ｎをほぼ同時に一斉点灯させる負荷要求を受けたとき等により、中央制御装置２から壁スイッチ５や制御端末器４ａ〜４ｎ等の各種端末器に送信すべき制御信号があるか否かを繰返し判断する。
【００２２】
Ｓ１でＹｅｓの場合、すなわち制御信号がある場合は、次のＳ２で、Ｓ１の制御信号よりも前に中央制御装置２から送信した制御信号が所要の制御端末器４ａ〜４ｎのいずれかのアドレス（例えば♯１）宛に送信した制御信号（制御端末用制御信号）であるか否かを判断する。Ｓ２でＹｅｓの場合、次のＳ３で、今回の制御信号が制御端末用制御信号か否か判断し、Ｎｏの場合は、Ｓ１０へ進む。
【００２３】
一方、Ｓ３でＹｅｓの場合は、制御端末器４ａ〜４ｎのいずれか宛てに送信された制御信号（制御端末用制御信号）が２回続いたことになるので、Ｓ４で、図４（Ｂ）で示すように前回の制御端末用制御信号（例えばアドレス♯１）よりも所要の待機時間Ｗ１を置くと共に、この第２回目のアドレス（例えばアドレス♯２）の制御端末器４ａ〜４ｎの１回路分の照明器具、例えば６ａ１，６ｂ１，６ｎ１のいずれか１台をＯＮ（点灯）させる第２回目（例えばアドレス♯２）の制御端末用制御信号を送受信部９ｅから信号線３へ送信する。
【００２４】
次のＳ５では、同じアドレス（例えば♯２）の照明器具６ｂの４回路分（例えば６ｂ１〜６ｂｎ）の制御端末用制御信号の送信を完了したか否か判断し、Ｎｏの場合は、再びＳ３に戻るループ制御を行い、４回路分の制御用端末制御信号の送信を完了したときは、再びスタートへ戻り、Ｓ１以下のステップを繰り返す。
【００２５】
上記４回路分の制御信号は、図５で示す各制御信号Ｃｓのフォーマットの制御データフレームにおいて、４回路分の照明器具６ａ１〜６ａ４，６ｂ１〜６ｂ４，６ｎ１〜６ｎ４が順次点灯するように記録される。制御信号Ｃｓの１周期は２０μｓである。
【００２６】
そして、上記図３のＳ２で、Ｎｏの場合、すなわち、前回に送信された制御用信号が制御端末用制御信号でない場合に、Ｓ６で、今回の制御信号が制御端末用制御信号であるか否か判断する。
【００２７】
このＳ６で、Ｙｅｓの場合は、前回と今回の２度、制御端末用制御信号の送信が続く場合がないので、次のＳ７で、待機時間Ｗ１を置かずに、１回路分の照明器具、例えば６ａ１，６ｂ１，６ｎ１のいずれか１台をＯＮ（点灯）させる第２回目の制御用端末制御信号を前回と同様に送信させる。
【００２８】
この後、Ｓ８で、Ｓ５と同様、同じアドレスの照明器具６ａ〜６ｎの４回路分の制御端末用制御信号の送信が完了したか否か判断し、Ｎｏの場合は、Ｓ９へ戻るループ制御を行い、４回路分の制御信号の送信を完了させる。一方Ｓ８でＹｅｓの場合は、再びスタートへ戻り、Ｓ１以下のステップを繰り返す。
【００２９】
そして、上記Ｓ３またはＳ６で、Ｎｏの場合は、今回まで制御端末用制御信号を送信していないので、すなわち、制御端末用制御信号が続いていないので、次のＳ１０で、待機時間Ｗ１を置かずに、制御信号を信号線３上に送信し、その後、再びスタートへ戻り、Ｓ１以下を繰り返す。この制御信号は、動作しても大幅な突入電流の増加がない。例えば、監視端末の操作状態を表示する制御信号である。
【００３０】
このように、分散点灯手段２ａは、複数の照明器具６ａ〜６ｎを点灯させる制御信号を、制御端末用制御信号として時間的に連続して送信する場合は、時系列で隣り合う制御端末用制御信号間同士の間に待機時間Ｗ１〜Ｗｎを置くので、これら複数の照明器具６ａ〜６ｎがほぼ同時刻で一斉に点灯せずに、待機時間Ｗ１〜Ｗｎをそれぞれ置いて順次点灯し、分散点灯される。
【００３１】
そして、図６に示すように各制御端末器４ａ〜４ｎは送受信部１０ａ、端末制御部１０ｂ、ＡＤメモリ１０ｃおよび制御操作部１０ｄを具備している。
【００３２】
送受信部１０ａは、中央制御装置２の送受信部９ｅから信号線３上に送信された制御信号Ｃｓを受信し、端末制御部１０ｂに与える受信機能と、送信機能を有する。この送信機能は制御信号Ｃｓのタイムスロットである信号返送期間よりなる応答データに、制御端末器４ａ〜４ｎの制御実行後の応答データを記録して中央制御装置２に返送させる機能である。
【００３３】
端末制御部１０ｂは、例えばマイクロプロセッサから構成され、ＡＤメモリ１０ｃを具備している。ＡＤメモリ１０ｃは各制御端末器４ａ〜４ｎにそれぞれ個別に与えられた個別アドレスと、これら制御端末器４ａ〜４ｎを所要数のグループにグループ化したときのグループアドレスとを記憶している。
【００３４】
制御操作部１０ｅは、例えばラッチングリレー等からなり、このラッチングリレーを制御信号Ｃｓの制御データに従って通電することにより、照明器具６ａ〜６ｎの点灯装置（図示しない）への給電を制御し、この照明器具６ａ〜６ｎを点灯または消灯する。ラッチングリレーは駆動時と復帰時に通電され、保持電流を通電せずに、その駆動状態と復帰状態を保持できる。
【００３５】
そして、ラッチングリレーは、１台の制御端末器４ａ〜４ｎ毎に複数個、例えば４個有し、これら４個のラッチングリレーにそれぞれ接続された、例えば４台の照明器具６ａ１〜６ａ４，６ｂ１〜６ｂ４，６ｎ１〜６ｎ４をそれぞれＯＮ（点灯）、ＯＦＦ（消灯）制御する回路を例えば４回路有する。
【００３６】
端末制御部１０ｂは、制御信号Ｃｓを受けると、この制御信号Ｃｓのアドレスデータから個別アドレスまたはグループアドレスを読み出す一方、ＡＤメモリ１０ｃから自己の個別アドレスまたはグループアドレスを読み出し、制御信号Ｃｓの個別アドレスまたはグループアドレスと、自己の個別アドレスまたはグループアドレスと一致するか否か判断し、制御信号Ｃｓに含まれるアドレスと自己に記憶されたアドレスとが一致すると判断したときは、制御信号Ｃｓの制御データを実行するために制御操作部１０ｅを駆動する。これにより、照明器具６ａ〜６ｎの点灯装置が制御されて点灯や消灯が行なわれ、光出力が制御される。
【００３７】
そして、複数の制御端末器４ａ〜４ｎの各端末制御部１０ｂにより受け取られる複数の端末制御用制御信号は、所定の待機時間Ｗ１〜Ｗｎをそれぞれ置いているので、図７に示すように複数の制御端末器４ａ〜４ｎによりそれぞれ点灯される複数の照明器具６ａ〜６ｎは同時に点灯せずに、待機時間Ｗ１〜Ｗｎを置いて順次点灯される。
【００３８】
しかも、同じアドレスの複数の照明器具６ａ１〜６ａ４，６ｂ１〜６ｂ４，６ｎ１〜６ｎ４の４回路分も所要の待機時間を置いて順次点灯される。
【００３９】
次に、この照明制御システム１の作用を説明する。
【００４０】
図１で示す壁スイッチ５により複数の照明器具６ａ〜６ｎを同時に点灯させるための操作（例えば一斉点灯ボタンのＯＮ操作）が行なわれると、壁スイッチ５の各操作部に対応して予め設定されている複数のアドレスとともに、制御内容（例えば、点灯）を含んだ所定フォーマットの伝送信号が信号線３を介して中央制御装置２へ送信される。
【００４１】
中央制御装置２は、その主ＡＤメモリ９ｃに、壁スイッチ５のアドレスと照明器具６a〜６ｎの個別アドレスまたはグループアドレスとが対応して設定記憶させており、壁スイッチ５から伝送信号を受信すると、壁スイッチ５のアドレスに対応する照明器具６ａ〜６ｎを制御するための制御信号Ｃｓを送信する。このとき、壁スイッチ５のアドレスに対して照明器具６ａ〜６ｎの個別アドレスが設定されている場合には、壁スイッチ５の操作は照明器具を個別制御する。一方、壁スイッチ５のアドレスに対してグループアドレスが設定されている場合には壁スイッチ５の操作は照明器具をグループ制御する。
【００４２】
壁スイッチ５の操作が複数の照明器具６ａ〜６ｎをほぼ同時に一斉点灯させる操作である場合には、中央制御装置２は図４（Ｂ）に示すように待機時間Ｗ１〜Ｗｎを置いて、複数の制御信号Ｃｓ（制御端末用制御信号）を各制御端末器４ａ〜４ｎに信号線３を介して直列に送信する。各制御端末器４ａ〜４ｎは、各送受信部１０ａにより制御信号Ｃｓを待機時間Ｗを置いて、それぞれ受信し、制御信号Ｃｓの個別アドレスと自己の個別アドレスとが一致するか否か判断し、一致しない場合はこれで終了する。一方、個別アドレスが一致すると判断した場合には、制御データＣＤを実行する。これにより、制御操作部１０ｄのラッチングリレーが各々の待機時間Ｗ１〜Ｗｎを置いてＯＮするので、複数の照明器具６ａ〜６ｎが図７に示すように待機時間を置いて順次点灯される。
【００４３】
これにより、複数の照明器具６ａ〜６ｎのほぼ同時の一斉点灯を回避することができる。しかも、同じアドレスの複数の照明器具６ａ１〜６ａ４，６ｂ１〜６ｂ４，６ｎ１〜６ｎ４同士も待機時間を置いて順次点灯されるので、図８（Ａ）に示すように１つのアドレス内の複数（例えば４回路）の照明器具６ａ１〜６ａ４，６ｂ１〜６ｂ４，６ｎ１〜６ｎ４の点灯時の電流を時間的に分散させることができる。
【００４４】
このために、図８（Ｂ）に示すように複数の照明器具６ａ〜６ｎをほぼ同時に一斉点灯したときに電流が集中する瞬時値を低減し、分散させることができる。
【００４５】
これにより、瞬時放電に弱く瞬時放電を繰り返すと劣化し易い蓄電池であるバッテリ８ａの劣化を抑制し、電池寿命を延ばすことができる。
【００４６】
また、待機時間Ｗ１〜Ｗｎを１台の中央制御装置２側で設定し、その設定信号を信号線３を介して一斉に複数台の制御端末器４ａ〜４ｎ側に送信するので、待機時間Ｗ１〜Ｗｎの設定と更新作業の効率性を向上できる。
【００４７】
そして、壁スイッチ５は、複数の照明器具６ａ〜６ｎの一斉点灯、または少なくともいずれかを点，消灯（ＯＮ／ＯＦＦ）等の操作が行われたときに、その操作状態を緑や赤ランプの点灯により表示し、その監視状態を表示するが、これらランプの点灯は待機時間Ｗ１〜Ｗｎを置かずに、ＯＮ（点灯）操作後、直ちに表示する。このために、複数の照明器具６ａ〜６ｎの順次点灯よりも逸早く、その操作状態が表示される見かけ上の速さを高めることができる。
【００４８】
（第２の実施形態）
第２の実施形態は、分散点灯手段を第１の実施形態のように中央制御装置２側に設けず、各制御端末器４ａ〜４ｎ側にそれぞれ設けた点に特徴がある。
【００４９】
すなわち、中央制御装置２は、上記分散点灯手段を具備しておらず、壁スイッチ５やスケジューラ等から、複数の照明器具６ａ〜６ｎをほぼ同時に一斉点灯させる負荷要求があったときに、この一斉点灯信号を単に制御信号Ｃｓとして複数の制御端末器４ａ〜４ｎに信号線３上に直列に伝送する。
【００５０】
図９に示すように各制御端末器４ａ〜４ｎは、中央制御装置２からの一斉点灯信号を受信したときに、その受信時から照明器具６ａ〜６ｎをそれぞれ点灯させるまでの待機時間Ｗ１，Ｗ２，…，Ｗｎをそれぞれ異なるように設定しており、一斉点灯の制御信号Ｃｓにより指定されたアドレスと自己（制御端末器４ａ〜４ｎ）のアドレスが一致しているときに、この制御信号Ｃｓの各々の受信時から各々の待機時間Ｗ１〜Ｗｎを置いて順次点灯される。すなわち、複数の照明器具６ａ〜６ｎは待機時間Ｗ１〜Ｗｎの短い順に順次点灯し、一斉点灯を回避することができる。このために、上記第１の実施形態とほぼ同様の作用効果を奏することができる。
【００５１】
また、中央制御装置２は、第１の実施形態のように待機時間Ｗ１〜Ｗｎをそれぞれ設定した制御信号Ｃｓを信号線３上に直列伝送する必要がなく、壁スイッチ５やスケジューラから複数の照明器具６ａ〜６ｎをほぼ同時に点灯させる一斉点灯の負荷要求を受けたときに、単に一斉点灯の制御信号Ｃｓを信号線３上に伝送するだけでよいので、信号線３上の通信量の減少を図ることができる。このために、信号線３上での制御信号Ｃｓの伝送速度の向上を図ることができるうえに、信号線３の信号伝送の空き時間の増大を図ることができる。
【００５２】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００５３】
１…照明制御システム、２…中央制御装置、４ａ，４ｂ，…，４ｎ…制御端末器、５…壁スイッチ（監視端末器）、６ａ，６ｂ，…，６ｎ…照明器具、８ａ…バッテリ（蓄電池）、９…ＤＣ電源線、９ｂ…主制御部、９ｄ…待機時間設定部。
【図１】
0005803317.tif 000002
【図２】
0005803317.tif 000003
【図３】
0005803317.tif 000004
【図４】
0005803317.tif 000005
【図５】
0005803317.tif 000006
【図６】
0005803317.tif 000007
【図７】
0005803317.tif 000008
【図８】
0005803317.tif 000009
【図９】
0005803317.tif 000010